(57)【要約】【課題】薬液を送液している最中に押し子および薬液容器が屈曲するように変形することを防止できる薬液投与装置を提供する。【解決手段】薬液投与装置１００は、薬液が充填される筒型の本体部１１１を備える薬液容器１１０と、薬液容器を保持するハウジング１２０と、薬液容器内の薬液を押し出す押し子１３０と、薬液容器をハウジングに固定する固定部材１５０と、を有しており、ハウジングは、薬液容器の本体部の底面を支持する支持面を有するシャーシ１２７を備えており、固定部材は、薬液容器の本体部の底面と周方向の反対側から薬液容器の本体部に沿って配置されるガイド部１５１と、ハウジングのシャーシに係合可能な係合部１５２と、を有している。【選択図】図７
2019189436.tif 000002
【特許請求の範囲】
【請求項１】
薬液が充填される筒型の本体部を備える薬液容器と、
前記薬液容器を保持するハウジングと、
前記薬液容器内の前記薬液を押し出す押し子と、
前記薬液容器を前記ハウジングに固定する固定部材と、を有し、
前記ハウジングは、前記薬液容器の本体部の底面を支持する支持面を有する支持部を備え、
前記固定部材は、前記薬液容器の本体部の底面と周方向の反対側から前記薬液容器の本体部に沿って配置されるガイド部と、前記ハウジングの前記支持部に係合可能な係合部と、を有する薬液投与装置。
【請求項２】
前記ガイド部は、前記薬液容器の本体部の外周面に沿って配置されるように湾曲した形状を有する、請求項１に記載の薬液投与装置。
【請求項３】
前記ハウジングは、前記支持部に形成された孔部を有し、
前記固定部材の前記係合部は、前記孔部に対して嵌合可能な爪部を有する、請求項１または請求項２に記載の薬液投与装置。
【請求項４】
前記薬液容器の基端には、前記薬液容器の本体部よりも径方向に広がるフランジ部が形成されており、
前記ハウジングは、前記フランジ部を支持するフランジ支持部を有し、
前記固定部材の前記ガイド部は、前記フランジ支持部との間で前記フランジ部を挟み込むように前記フランジ部の先端側に配置される、請求項１〜３のいずれか１項に記載の薬液投与装置。
【発明の詳細な説明】
【技術分野】
【０００１】
本発明は、薬液投与装置に関する。
【背景技術】
【０００２】
従来、薬液容器に充填した薬液を押し子の押圧作用により生体内に投与するシリンジポンプ型の薬液投与装置が知られている。この種の薬液投与装置は、筒型の薬液容器と、薬液容器内の薬液を押し出す押し子機構と、を備える（例えば、下記特許文献１を参照）。薬液容器および押し子機構は、ハウジング内に収容されるとともにハウジングに支持されている。
【先行技術文献】
【特許文献】
【０００３】
【特許文献１】特開平９−２９４８０７号公報
【発明の概要】
【発明が解決しようとする課題】
【０００４】
上記の薬液投与装置では、薬液を送液するために押し子が薬液容器内を前進すると、押し子の前進移動に伴って推力が発生し、押し子および薬液容器に対して過剰な押圧力が掛かることがある。それにより、押し子および薬液容器が押し子の前進方向（押し子および薬液容器の長手方向）に対して屈曲するように変形し、薬液の円滑な送液が阻害されてしまうという課題が発生し得る。【０００５】
本発明は上記のような課題を鑑みてなされたものであり、薬液を送液している最中に押し子および薬液容器が屈曲するように変形することを防止できる薬液投与装置を提供することを目的とする。
【課題を解決するための手段】
【０００６】
本発明に係る薬液投与装置は、薬液が充填される筒型の本体部を備える薬液容器と、前記薬液容器を保持するハウジングと、前記薬液容器内の前記薬液を押し出す押し子と、前記薬液容器を前記ハウジングに固定する固定部材と、を有し、前記ハウジングは、前記薬液容器の本体部の底面を支持する支持面を有する支持部を備え、前記固定部材は、前記薬液容器の本体部の底面と周方向の反対側から前記薬液容器の本体部に沿って配置されるガイド部と、前記ハウジングの前記支持部に係合可能な係合部と、を有する。
【発明の効果】
【０００７】
本発明の薬液投与装置によれば、薬液を送液している最中に押し子および薬液容器が屈曲するように変形することを防止できる。
【図面の簡単な説明】
【０００８】
【図１】実施形態に係る薬液投与システムの側面図である。
【図２】薬液投与システムの使用例を模式的に示す図である。
【図３】薬液投与装置の概観斜視図である。
【図４】ハウジングが備えるシャーシおよびシャーシに組み付けられた各構成部材の概観斜視図である。
【図５】固定部材の概観斜視図である。
【図６】シャーシに固定部材を取り付ける前の状態を示す斜視図である。
【図７】シャーシに固定部材を取り付ける際の様子を示す斜視図である。
【図８】シャーシに固定部材を取り付ける際の様子を示す拡大図である。
【図９】シャーシに固定部材を取り付けた後の状態を示す拡大図である。
【図１０】シャーシに形成された孔部を示す斜視図である。
【発明を実施するための形態】
【０００９】
以下、添付した図面を参照しながら、本発明の実施形態を説明する。なお、以下の記載は特許請求の範囲に記載される技術的範囲や用語の意義を限定するものではない。また、図面の寸法比率は説明の都合上誇張されており、実際の比率とは異なる場合がある。
【００１０】
図１〜図６は、実施形態に係る薬液投与システム１０、薬液投与装置１００、および投与器具２００の説明に供する図である。各図に付した矢印Ｘは、薬液投与装置１００の「長手方向（薬液容器１１０の長手方向）」を示し、矢印Ｙは、薬液投与装置１００の「幅方向（奥行方向）」を示し、矢印Ｚは、薬液投与装置１００の「高さ方向」を示す。
【００１１】
（薬液投与システム）
薬液投与システム１０は、薬液を生体内に投与するために使用される。図１に示すように、薬液投与システム１０は、薬液投与装置１００と、投与器具２００と、を備える。
【００１２】
図２に示すように、薬液投与装置１００および投与器具２００は、使用者の体表面（皮膚）Ｈに貼り付けて使用するパッチタイプとして構成している。薬液投与装置１００および投与器具２００を取り付ける使用者の身体の部位は特に限定されないが、例えば、腹部や大腿部である。
【００１３】
薬液投与システム１０は、例えば、薬液投与装置１００が備える薬液容器１１０内に充填された薬液（図示省略）を、後述する押し子１３０による押圧作用により、比較的長い時間（例えば、数分〜数時間程度）をかけて持続的に生体内に投与することができる。なお、薬液投与システム１０は、薬液を間欠的に生体内に投与してもよい。
【００１４】
（薬液投与装置）
薬液投与装置１００は、図３および図４に示すように、薬液が充填される筒型（バレル型）の本体部１１１を備える薬液容器１１０と、薬液容器１１０を保持するハウジング１２０と、薬液容器１１０内の薬液を押し出す押し子１３０と、薬液容器１１０を固定する固定部材１５０と、を有している。
【００１５】
図３および図４に示すように、ハウジング１２０は、内部に収容空間１２８が形成された箱型のハウジング本体部１２０ａと、ハウジング本体部１２０ａの収容空間１２８に収容され、ハウジング本体部１２０ａに対して固定可能なシャーシ（「支持部」に相当する）１２７と、を有している。
【００１６】
図３に示すように、ハウジング本体部１２０ａの上面１２３には、ハウジング１２０の外部から収容空間１２８内を視認可能にする窓部１２３ａが形成されている。窓部１２３ａは、ハウジング本体部１２０ａの一部に透明または半透明な部分を設けることで形成している。
【００１７】
ハウジング本体部１２０ａの長手方向の基端側には、シャーシ１２７をハウジング本体部１２０ａの収容空間１２８に挿入するための基端開口部１２５が形成されている。ハウジング本体部１２０ａの基端開口部１２５は、収容空間１２８にシャーシ１２７を収容した状態で、蓋部材（図示省略）により閉じられる。
【００１８】
ハウジング本体部１２０ａの底面１２１には、使用者の体表面Ｈに貼着可能なシート状の貼着部（図示省略）を設けている。薬液投与装置１００を使用者に取り付ける前の初期状態において、貼着部の貼着面には、剥離可能な保護シートが取り付けられる。
【００１９】
図４に示すように、シャーシ１２７には、薬液容器１１０と、押し子１３０と、押し子１３０の前進移動を駆動するための駆動機構１４０と、制御部１６０と、電源部１７０と、が保持されている。
【００２０】
薬液容器１１０の本体部１１１の内腔１１１ａには、押し子１３０の本体部１３１が挿入される（図４を参照）。押し子１３０の本体部１３１の先端部には、ガスケット１３５を配置している。ガスケット１３５は、例えば、ゴム材やエラストマー等の樹脂材料で構成することができる。ガスケット１３５は、ガスケット１３５の外周部が薬液容器１１０の本体部１１１の内周面と液密に密着することにより、ガスケット１３５の基端側を液密に封止する。
【００２１】
薬液容器１１０の基端には、薬液容器１１０の本体部１１１よりも径方向に広がるフランジ部１１３が形成されている（図７を参照）。
【００２２】
薬液容器１１０は、いわゆるプレフィルド型の薬液容器で構成している。そのため、薬液は、薬液容器１１０の本体部１１１の内腔１１１ａ内に予め充填されている。薬液としては、例えば、タンパク質製剤、麻薬性鎮痛薬、利尿薬等が挙げられる。
【００２３】
薬液容器１１０の先端開口部（吐出口）には、薬液が漏洩するのを防止するための封止部材（図示省略）を配置している。図３に示すように、薬液容器１１０の先端開口部は、ハウジング本体部１２０ａから外部に突出するように配置される。また、薬液容器１１０においてハウジング本体部１２０ａから突出した部分には、後述するチューブ２４０（図１を参照）との接続がなされる装着部１１５を取り付けている。
【００２４】
図６に示すように、シャーシ１２７は、薬液容器１１０の本体部１１１の底面（周方向においてシャーシ１２７側に配置される一定の範囲の外周面）を支持する支持面１２７ｄを備える。また、図７に示すように、シャーシ１２７には、薬液容器１１０のフランジ部１１３を支持するフランジ支持部１２７ｂが形成されている。フランジ支持部１２７ｂは、薬液容器１１０のフランジ部１１３を挿入することが可能な溝部１２７ｃを備える。
【００２５】
図１０に示すように、シャーシ１２７の裏面（薬液容器１１０等が配置される支持面１２７ｄが設けられた面と反対側の面）には、後述する固定部材１５０の爪部１５２ａ、１５２ｂと嵌合可能な孔部１２７ｅが形成されている。
【００２６】
制御部１６０は、薬液投与装置１００の薬液の送液動作を制御する。制御部１６０は、例えば、ＣＰＵ、ＲＡＭ、ＲＯＭ等を実装した公知のマイクロコンピュータ（電子回路素子）により構成することができる。
【００２７】
電源部１７０は、例えば、公知の電池等で構成することができる。
【００２８】
図４に示すように、駆動機構１４０は、電源部１７０から駆動電流を受給して回転駆動力を生じさせるモータ１４１と、モータ１４１の回転駆動力を伝達する歯車等を備える減速機構１４３と、減速機構１４３に接続された送りネジ１４７と、を有している。
【００２９】
送りネジ１４７は、押し子１３０の基端付近に配置された基端接続部１３３と接続されている。送りネジ１４７は、減速機構１４３から伝達された回転運動を直線運動に変換して、押し子１３０を長手方向（Ｘ方向）に前進させる。押し子１３０は、薬液容器１１０の先端側へ向けて前進することにより、薬液容器１１０の本体部１１１の内腔１１１ａからチューブ２４０（図１を参照）へ薬液を押し出す。
【００３０】
次に、図５を参照して、固定部材１５０について説明する。
【００３１】
図５に示すように、固定部材１５０は、薬液容器１１０の本体部１１１の底面と周方向の反対側（薬液容器１１０においてシャーシ１２７と対向する面と反対側の上面側）から薬液容器１１０の本体部１１１に沿って配置されるガイド部１５１と、シャーシ１２７に係合可能な係合部１５２と、を有している。
【００３２】
固定部材１５０のガイド部１５１は、薬液容器１１０の本体部１１１の外周面に沿って配置されるように湾曲した形状を有している。また、ガイド部１５１には、所定の方向に突出した突出部１５３が形成されている。
【００３３】
固定部材１５０の係合部１５２は、第１の爪部１５２ａと、第２の爪部１５２ｂと、を有する。図１０に示すように、第１の爪部１５２ａと第２の爪部１５２ｂは、シャーシ１２７に形成された孔部１２７ｅに対して嵌合可能に構成している。
【００３４】
図９に示すように、固定部材１５０のガイド部１５１は、薬液容器１１０のフランジ部１１３がシャーシ１２７に形成されたフランジ支持部１２７ｂの溝部１２７ｃに配置された状態において、フランジ支持部１２７ｂとの間（溝部１２７ｃの周囲の内壁との間）でフランジ部１１３を挟み込むように、フランジ部１１３の先端側に配置される。
【００３５】
次に、固定部材１５０の取り付け手順を説明する。
【００３６】
まず、図６に示すように、シャーシ１２７に薬液容器１１０以外の各構成部材が取り付けられる。
【００３７】
次に、図７に示すように、シャーシ１２７に薬液容器１１０を取り付ける。この際、薬液容器１１０の本体部１１１の底面をシャーシ１２７の支持面１２７ｄに配置する。次に、図７に示すように、固定部材１５０をシャーシ１２７に取り付ける。固定部材１５０は、図中の矢印Ａで示すように、薬液容器１１０の底面が設けられた側と反対側からシャーシ１２７に接近させて取り付ける。
【００３８】
固定部材１５０を取り付ける際、図８および図９に示すように、固定部材１５０のガイド部１５１を薬液容器１１０の本体部１１１の外表面に沿うように配置する。また、ガイド部１５１は、フランジ部１１３の先端側に配置する。固定部材１５０の突出部１５３は、薬液容器１１０のフランジ部１１３を上面側から覆うように配置する。
【００３９】
固定部材１５０は、図１０に示すように、各爪部１５２ａ、爪部１５２ｂがシャーシ１２７に形成された孔部１２７ｅと嵌合することにより、シャーシ１２７に固定される。薬液容器１１０は、固定部材１５０を介して、シャーシ１２７に固定される。
【００４０】
薬液投与装置１００は、薬液を送液している最中、薬液容器１１０の本体部１１１の底面がシャーシ１２７により支持され、かつ、薬液容器１１０の本体部１１１の上面が固定部材１５０により固定される。したがって、薬液投与装置１００は、押し子１３０が薬液容器１１０内を前進移動して推力が発生し、押し子１３０および薬液容器１１０に対して過剰な押圧力が掛かるような場合においても、押し子１３０および薬液容器１１０を、薬液容器１１０の長手方向と交差する方向（押し子１３０の前進方向と直交する方向）に対して押え付けることができる。そのため、薬液投与装置１００は、薬液容器１１０および押し子１３０が「への字」のように屈曲することを好適に防止することが可能になる。
【００４１】
（投与器具）
図１および図２に示すように、投与器具２００は、薬液投与装置１００に接続可能に構成している。
【００４２】
投与器具２００は、コネクタ２１０と、生体に穿刺される針管２２０と、穿刺部（カニューレハウジング）２３０と、チューブ２４０と、針管２２０の生体への穿刺を補助する穿刺補助具２５０と、を有している。
【００４３】
コネクタ２１０は、当該コネクタ２１０に固定された装着部２１５を介して薬液投与装置１００に接続可能に構成している。装着部２１５は、ハウジング１２０の外部に突出した薬液容器１１０の先端付近に設けられた装着部１１５（図６を参照）に対して外嵌されることにより、薬液投与装置１００と接続できる。
【００４４】
装着部２１５の内部には、薬液容器１１０の先端部に配置された封止部材（図示省略）を刺通可能な接続用の針部（図示省略）が配置されている。チューブ２４０は、接続用の針部を介して、薬液容器１１０の本体部１１１の内腔１１１ａと連通される。
【００４５】
穿刺部２３０の内部には、チューブ２４０と針管２２０の内腔を連通する流路（図示省略）が形成されている。チューブ２４０を介して穿刺部２３０へ送液された薬液は、穿刺部２３０の内部に形成された流路および針管２２０を通して生体内に投与される。
【００４６】
使用者への薬液の送液に際して、穿刺部２３０には穿刺補助具２５０が取り付けられる。穿刺補助具２５０は、導入針（内針）２５１を保持している。導入針２５１は、穿刺補助具２５０を穿刺部２３０に取り付けた状態において、針管２２０の先端から突出する。使用者は、針管２２０に導入針２５１を挿通した状態で針管２２０を生体に穿刺することにより、針管２２０に折れ等が生じるのを防止しつつ、針管２２０を生体に刺入することが可能になる。
【００４７】
穿刺補助具２５０は、針管２２０を生体に穿刺した後、穿刺部２３０から取り外される。導入針２５１は、穿刺部２３０から穿刺補助具２５０が取り外されると、針管２２０の内腔から抜去される。
【００４８】
針管２２０を生体に穿刺した後、穿刺補助具２５０が取り外されて、針管２２０が生体内に留置された状態で、穿刺部２３０は使用者の体表面Ｈに残置される。この状態で薬液投与装置１００の押し子１３０が薬液容器１１０内を前進することにより、薬液容器１１０に充填された薬液は、チューブ２４０および穿刺部２３０の流路を経由して針管２２０の内腔へ送液される。
【００４９】
導入針２５１は、例えば、金属針で構成することが可能である。また、針管２２０は、例えば、樹脂製の管状部材（カニューレ）で構成することが可能である。
【００５０】
投与器具２００は、薬液投与装置１００と同様に、使用者の体表面Ｈに貼り付けて使用するパッチタイプとして構成している。投与器具２００の穿刺部２３０の接触面（底面）２３１には、体表面に貼着可能なシート状の貼着部（図示省略）を設けている。投与器具２００を使用者に取り付ける前の初期状態において、貼着部の貼着面には剥離可能な保護シートが取り付けられる。
【００５１】
以上説明したように、本実施形態に係る薬液投与装置１００は、薬液が充填される筒型の本体部１１１を備える薬液容器１１０と、薬液容器１１０を保持するハウジング１２０と、薬液容器１１０内の薬液を押し出す押し子１３０と、薬液容器１１０をハウジング１２０に固定する固定部材１５０と、を有している。ハウジング１２０は、薬液容器１１０の本体部１１１の底面を支持する支持面１２７ｄを有するシャーシ１２７を備えている。固定部材１５０は、薬液容器１１０の本体部１１１の底面と周方向の反対側から薬液容器１１０の本体部１１１に沿って配置されるガイド部１５１と、ハウジング１２０のシャーシ１２７に係合可能な係合部１５２と、を有している。
【００５２】
上記のように構成した薬液投与装置１００は、薬液容器１１０の本体部１１１の底面がシャーシ１２７により支持され、かつ、薬液容器１１０の本体部１１１の上面が固定部材１５０により固定された状態で薬液の送液が行われる。そのため、薬液を送液している最中に、押し子１３０および薬液容器１１０が屈曲するように変形することを防止できる。
【００５３】
また、薬液投与装置１００において、固定部材１５０のガイド部１５１は、薬液容器１１０の本体部１１１の外周面に沿って配置されるように湾曲した形状を有する。そのため、固定部材１５０は、ガイド部１５１により、薬液容器１１０の本体部１１１の外周面をしっかりと固定することができる。
【００５４】
また、薬液投与装置１００において、ハウジング１２０が備えるシャーシ１２７は孔部１２７ｅを有しており、固定部材１５０の係合部１５２は、孔部１２７ｅに対して嵌合可能な爪部１５２ａ、１５２ｂを有する。そのため、固定部材１５０は、各爪部１５２ａ、１５２ｂを介して容易かつ確実にシャーシ１２７に対して固定することができる。
【００５５】
また、薬液投与装置１００において、薬液容器１１０の基端には、薬液容器１１０の本体部１１１よりも径方向に広がるフランジ部１１３が形成されている。ハウジング１２０が備えるシャーシ１２７は、薬液容器１１０のフランジ部１１３を支持するフランジ支持部１２７ｂを有している。また、固定部材１５０のガイド部１５１は、フランジ支持部１２７ｂとの間で薬液容器１１０のフランジ部１１３を挟み込むように、フランジ部１１３の先端側に配置される。このように固定部材１５０は、フランジ支持部１２７ｂとの間で薬液容器１１０のフランジ部１１３を挟み込むことにより、シャーシ１２７に対してより確実に薬液容器１１０を固定することができる。
【００５６】
以上、実施形態を通じて本発明に係る薬液投与装置を説明したが、本発明は説明した各構成のみに限定されるものでなく、特許請求の範囲の記載に基づいて適宜変更することが可能である。
【００５７】
例えば、固定部材は、ガイド部と係合部を有しており、かつ、薬液容器の本体部をハウジングに対して固定するように構成されている限りにおいて、具体的な形状や構造等は特に限定されない。また、例えば、係合部は、実施形態において説明した爪部以外の構造でハウジングに対して係合可能に構成することも可能である。また、ハウジングは、シャーシを備えずに、ハウジング本体部に薬液容器を支持する支持部が設けられていてもよい。この場合、固定部材は、ハウジング本体部に対して薬液容器を固定するように構成することができる。
【００５８】
また、薬液投与装置を構成する各部材の材質、形状、大きさ、配置、部材同士の接続・連結構造等は、本発明の効果が発揮される限り、特に限定されることはなく、任意に変更および置換することが可能である。また、薬液投与装置には、明細書内において特に説明のなかった任意の構成部材等を適宜付加することも可能である。
【００５９】
本出願は、２０１８年３月３０日に出願された日本国特許出願第２０１８−０６７４３８号に基づいており、その開示内容は、参照により全体として引用されている。
【符号の説明】
【００６０】
１０  薬液投与システム、
１００  薬液投与装置、
１１０  薬液容器、
１１１  薬液容器の本体部、
１１１ａ  薬液容器の本体部の内腔、
１１３  薬液容器のフランジ部、
１２０  ハウジング、
１２０ａ  ハウジング本体部、
１２１  ハウジング本体部の底面、
１２３  ハウジング本体部の上面、
１２５  ハウジング本体部の基端開口部、
１２７  シャーシ（支持部）、
１２７ｂ  フランジ支持部、
１２７ｃ  溝部、
１２７ｄ  支持面、
１２７ｅ  孔部、
１２８  収容空間、
１３０  押し子、
１３１  押し子の本体部、
１４０  駆動機構、
１５０  固定部材、
１５１  ガイド部、
１５２  係合部、
１５２ａ  第１の爪部（爪部）、
１５２ｂ  第２の爪部（爪部）、
１５３  突出部、
２００  投与器具、
Ｈ  体表面。
【図１】
2019189436.tif 000003
【図２】
2019189436.tif 000004
【図３】
2019189436.tif 000005
【図４】
2019189436.tif 000006
【図５】
2019189436.tif 000007
【図６】
2019189436.tif 000008
【図７】
2019189436.tif 000009
【図８】
2019189436.tif 000010
【図９】
2019189436.tif 000011
【図１０】
2019189436.tif 000012
【国際調査報告】
2019189436.tif 000013
2019189436.tif 000014
2019189436.tif 000015
2019189436.tif 000016